(57)【要約】【課題】側溝本体の路面側排水孔を覆う排水孔覆い部材を簡単に取り付けられると共に、容易にはずれることなく装着できる。【解決手段】内側に長手方向に貫通する水路２を有し、外側断面形状を略方形に形成し、路面側側面に透水性路面からの雨水を上記水路へ排水する路面側排水孔９を設けてなる側溝本体１と、路面側排水孔９を覆う大きさで、かつ透水性を有するとともに路面舗装時の舗装材やゴミの侵入を阻止する透水部材に路面側排水孔内に容易にはずれることなく係脱可能に係合する脚部１１，１１を設け、この脚部を路面側排水孔に係合することにより路面側排水孔を覆うようにした排水孔覆い部材１０とで構成されている。【選択図】      図６
2005023650.tif 000002
【特許請求の範囲】
【請求項１】
内側に長手方向に貫通する水路を有し、外側断面形状を略方形に形成し、路面側側面に透水性路面からの雨水を上記水路へ排水する路面側排水孔を設けてなる側溝本体と、
路面側排水孔を覆う大きさで、かつ透水性を有するとともに路面舗装時の舗装材やゴミの侵入を阻止する透水部材に路面側排水孔内に容易にはずれることなく係脱可能に係合する脚部を設け、この脚部を路面側排水孔に係合することにより路面側排水孔を覆うようにした排水孔覆い部材と
からなることを特徴とする排水性舗装路面用側溝。
【請求項２】
水路の天井面をアーチ状にしたことを特徴とする請求項１記載の排水性舗装路面用側溝。
【発明の詳細な説明】
【０００１】
【発明の属する技術分野】
本発明は、排水性を有する舗装路面用の側溝として用いられ、舗装路面内に貯留される雨水を集水・排水可能にした排水性舗装路面用側溝に関するものである。
【０００２】
【従来の技術】
最近の高速道路、一般道路、さらには公園や市街地道路の舗装路面の表層部には、路面に降り注いだ雨水を速やかに排水するようにするために、透水性を有する舗装材が用いられるようになっている。そしてこのような透水性を有する舗装路面に用いる側溝には、この舗装路面の表層部内に貯留された雨水を速やかに排水する機能が求められている。
【０００３】
そしてこの種の従来の排水性舗装路面用側溝は、例えば特許文献１及び２に示されているように、略方形の断面形状で所定の長さになっており、これの内側に長手方向に貫通する水路が設けてある。そしてこれの上面と、路面側の側面の上部に雨水を上記水路へ導く複数個の排水孔が設けてある。また、この側面に設けられた排水孔には、透水性を有するとともに路面舗装時の舗装材やゴミの侵入を阻止するために、排水孔覆い部材が取り付けられている。
【０００４】
【特許文献１】
特許第２７７５３９２号公報（第２〜４頁、図２３参照）
【特許文献２】
特開平１１−２２２９１２号公報（第３頁、図１、図２参照）
【０００５】
【発明が解決しようとする課題】
従来の上記側溝は、これの路面側側面に設けた排水孔に取り付ける排水孔覆い部材は、平面状のものが用いられ、これを排水孔の入口部端面に貼り付けるか、排水孔の開口部周囲に設けた凹陥部に装着するようになっていた。このため、前者にあっては、各排水口の開口端部に、いちいち接着剤等の貼り付け手段を用いて貼り付けなければならないという手間がかかり、また後者にあっては凹陥部に装着するだけであるので、これが施工中に脱落してしまうという問題があった。
【０００６】
本発明は上記のことに鑑みなされたもので、路面側側面に設けた排水孔を覆う排水孔覆い部材を簡単に取り付けられると共に、容易にはずれることなく、施工中にみだりに脱落することがないようにした排水性舗装路面用側溝を提供することを目的とするものである。
【０００７】
【課題を解決するための手段】
上記目的を達成するために、本発明に係る排水性舗装路面用側溝は、内側に長手方向に貫通する水路を有し、外側断面形状を略方形に形成し、路面側側面に透水性路面からの雨水を上記水路へ排水する路面側排水孔を設けてなる側溝本体と、路面側排水孔を覆う大きさで、かつ透水性を有するとともに路面舗装時の舗装材やゴミの侵入を阻止する透水部材に路面側排水孔内に容易にはずれることなく係脱可能に係合する脚部を設け、この脚部を路面側排水孔に係合することにより路面側排水孔を覆うようにした排水孔覆い部材とからなっている。そしてこの構成の排水性舗装路面用側溝の水路の天井面はアーチ状になっている。
【０００８】
【作  用】
排水孔覆い部材は、これの脚部をはめこむことにより路面側排水孔に、これから容易に外れることなく、かつ係脱可能に取り付けられる。
【０００９】
【発明の実施の形態】
本発明の実施の形態を図面に基づいて説明する。図中１は側溝本体で、この側溝本体１は水平にした底壁１ａと垂直にした路肩側と路面側の側壁１ｂ，１ｃと路肩側が低くなるように傾斜させた天井壁１ｄからなる略方形の断面形状になっている。そしてこれの内側は長手方向に貫通する水路２となっている。この水路２の断面形状は、底面は水平に、左右の側面は垂直に、また天井面はアーチ状になっている。
【００１０】
また、路肩側の側壁１ｂの外面の上部には路肩にならべる縁石と組み合わされる凹部３が設けてあり、長手方向の両端面は垂直になっていて、これの一方の端面には目地用の環状溝４が設けてある。またこの両端面の上部には目地用の切欠き５が設けてある。
【００１１】
路肩側と路面側の各側壁１ｂ，１ｃの長手方向端部外面に接合ジョイント６，６が設けてある。
【００１２】
天井壁１ｄの低い方（路肩側）の端部には水路２に連通する天井側排水孔７が長手方向に複数個設けてある。また、路面側の側壁１ｃの上部には長手方向に溝８が設けてあり、この溝８内に、水路２に連通する路面側排水孔９が長手方向に複数個設けてある。この溝８及び各路面側排水孔９は水平方向に長い長孔状になっている。この路面側排水孔９は舗装路面の不透水性の下地層と透水性の表層との境界部分に対向する位置に設けられる。表層に貯留された水は溝８にて集められ、路面側排水孔９より水路２へ排水されるようになっている。
【００１３】
この路面側排水孔９は図４、図５に拡大して示すように、水路２に向けて所定の角度（約３０度）で傾斜しており、この各路面側排水孔９に排水孔覆い部材１０が係脱可能に取り付けられるようになっている。
【００１４】
排水孔覆い部材１０は路面側排水孔９を覆う大きさで、かつ透水性を有するとともに路面舗装時の舗装材やゴミの侵入を阻止する材料、この実施例ではパンチメタルにて構成されている。そしてその形状は図４から図６に示すように、上下方向は溝８にはまり込む幅に、また長手方向は路面側排水孔９より長くなっており、これの長手方向両端部に路面側排水孔９の長手方向両端内縁に沿ってはまり込む脚部１１，１１が設けてある。この脚部１１，１１はパンチメタルの両端部を切り込み折り曲げることにより形成してあり、この脚部１１，１１が路面側排水孔９の内縁に若干の撓み変形を保ってはまり込むようになっており、これにより、排水孔覆い部材１０は路面側排水孔９に対して係脱可能に、かつ係合状態では脚部１１，１１と路面側排水孔９の内縁との係合により安定して保持されるようになっている。
【００１５】
この実施の形態における排水孔覆い部材１０の脚部１１，１１は、排水孔覆い部材１０の長手方向の両端部を切り込み折り曲げて設けたが、路面側排水孔９を充分に閉じる大きさにした排水孔覆い部材に路面側排水孔９に係合する別部材の脚部を溶接にて固着してもよい。また、排水孔覆い部材１０の構成材料も、パンチメタル以外に、網体、細い棒材を交差させてなる格子体等、透水性を有するとともに舗装材の侵入を阻止できるものであれば用いることができる。図中１２は側溝本体１を吊り上げる際に用いるためにインサートしたねじ孔等の吊り具孔で、歩道側と車道側の両側壁１ｂ，１ｃに、それぞれ長手方向に２個以上設けてある。
【００１６】
上記構成において排水孔覆い部材１０は、これの脚部１１を路面側排水孔９に挿入することにより、この脚部１１を介して路面側排水孔９に係合保持される。このときの係合力は脚部１１が若干撓みながらはまり込む路面側排水孔９の内面との摩擦力にて得られる。
【００１７】
図７は本発明に係る排水性舗装路用側溝の施工態様を示すもので、側溝本体１の路面側排水孔９を排水孔覆い部材１０で覆った状態で舗装路の路肩部の基礎工１３上に設置する。このとき、側溝相互は、つなぎ面の環状溝４に目地部材を充填して接合ジョイント６，６にて接続すると共に、側溝本体１の相互間の切欠き５によって生じる溝内に目地部材を充填する。
【００１８】
上記のように連設施工した側溝の路面側に排水性舗装路面１４を、また路肩側に、これの凹部３に縁石１５を組み合わせて舗装歩道１６をそれぞれ施工する。
【００１９】
このとき、排水性舗装路面１４は、下側から押しかためられた基礎層１７、不透水性の下地層１８、透水性の表層１９が順次積層されて構成される。そしてこのとき、下地層１８と表層１９の境界部分が側溝の路面側排水孔９に対向する位置となるようにし、表層１９に浸透した雨水の全てが路面側排水孔９より排水できるようにする。
【００２０】
【発明の効果】
本発明によれば、側溝本体の路面側排水孔を閉じる排水孔覆い部材は、これの脚部を路面側排水孔に挿入することにより、簡単に取り付けることができる。そしてこのときの排水孔覆い部材は、これの脚部と上記排水孔の内面との摩擦力にて容易にはずれることなく取り付けられ、これが施工中にみだりに脱落することがなく、排水性舗装路面用側溝として唯一これと別体で施工中に取り付ける部材である排水孔覆い部材の取り付けに対する信頼性を高めることができる。
【００２１】
また、側溝本体１の内側に設けられる水路２の天井面はアーチ状になっていることにより、天井壁１ｄの強度が大きくなり、この部分の薄肉化を図ることができる。
【図面の簡単な説明】
【図１】本発明の実施の形態を示す一部破断正面図である。
【図２】本発明の実施の形態を示す平面図である。
【図３】本発明の実施の形態を示す一部破断側面図である。
【図４】路面側排水孔部分を拡大して示す断面図である。
【図５】路面側排水孔を示す拡大正面図である。
【図６】排水孔覆い部材を示す斜視図である。
【図７】本発明に係る側溝の施工状態を示す断面図である。
【符号の説明】
１…側溝本体、１ａ…底壁、１ｂ，１ｃ…側壁、１ｄ…天井壁、２…水路、３凹部、４…環状溝、５…切り欠き、６…接合ジョイント、７…天井側排水孔、８…溝、９…路面側排水孔、１０…排水孔覆い部材、１１…脚部、１２…吊り具用穴。
【図１】
2005023650.tif 000003
【図２】
2005023650.tif 000004
【図３】
2005023650.tif 000005
【図４】
2005023650.tif 000006
【図５】
2005023650.tif 000007
【図６】
2005023650.tif 000008
【図７】
2005023650.tif 000009